(57)【要約】【課題】施工時のパイプケースの勾配のばらつきを抑制することができるダクトケース及びそれを有する給気ダクトを提供する。【解決手段】この課題を解決するために、建造物の外装壁２０と前記建造物の換気対象空間を形成する内装壁２１の間に配置されて外気を前記換気対象空間に供給する給気ダクト１におけるダクトケース５であって、一端６ａが前記外装壁２０から外部に開口し一端６ａから他端６ｂに向けて内周の空間を外気が流通する筒形状のパイプケース６と、前記パイプケース６に勾配を与える勾配部材９と、を有し、前記勾配部材９は前記外装壁２０と内装壁２１の間に配置され水平な載置面を上端に備える支持台２２の前記載置面に載置されると共に、載置時に前記載置面に対して傾斜し前記パイプケース６が配置される上面９ａを備えるものとした。【選択図】図１
2011179759.tif 000002
【特許請求の範囲】
【請求項１】
建造物の外装壁と前記建造物の換気対象空間を形成する内装壁の間に配置されて外気を前記換気対象空間に供給する給気ダクトのダクトケースであって、一端が前記外装壁から外部に開口し一端から他端に向けて内周の空間を外気が流通する筒形状のパイプケースと、前記パイプケースに勾配を与える勾配部材と、を有し、前記勾配部材は前記外装壁と内装壁の間に配置され水平な載置面を上端に備える支持台の前記載置面に載置されると共に、載置時に前記載置面に対して傾斜し前記パイプケースが配置される上面を備えるものであることを特徴とするダクトケース。
【請求項２】
給気温度調節用の熱交換ユニットを収納する収納部を備えるダクト本体が内部に配置されると共に前記パイプケースの他端側の開口が前記内部に連通する本体ケースを有し、前記パイプケースと前記本体ケースが一体で形成されたものであることを特徴とする請求項１に記載のダクトケース。
【請求項３】
前記パイプケースは前記建造物配置時に前記外装壁の壁面に平行する切り取りマークを一端側の外周面に複数有するものであることを特徴とする請求項１または請求項２に記載のダクトケース。
【請求項４】
請求項１〜３のいずれかに記載のダクトケースと、給気温度調節用の熱交換ユニットを収納する収納部を備え前記ダクトケースの本体ケースの内部に配置されるダクト本体と、を有し、前記ダクトケースに流通する外気を前記ダクト本体を介して換気対象空間に放出するものであることを特徴とする給気ダクト。
【発明の詳細な説明】
【技術分野】
【０００１】
本発明は、ダクトケース及びそれを有する給気ダクトに関し、殊に常時外気を換気対象空間に供給して屋内の空気を流動させる２４時間換気用の換気システムにおける給気ダクトに関するものである。
【背景技術】
【０００２】
住宅の高気密化に伴い、平成１５年７月に行われた建築基準法の改正により住宅の居室等の２４時間換気が義務化されており、換気システムにより屋内等の換気対象空間の空気を常時流動させて２４時間換気を行っている。この種の換気システムは、屋内に外気を供給する給気ダクトと、屋内の空気を屋外に排出する排気ダクトと、排気ダクト内の空気を流動させるファンと、を備えている。このような給気ダクトには屋内に供給する外気を予熱あるいは吸熱して屋内の空気との温度差を緩和する熱交換ユニットが配置されており、換気による温度変化を抑制し、屋内の冷暖房機器利用時における換気に伴う熱損失を低減している（特許文献１等参照）。
【０００３】
また、熱交換ユニットはダクト本体に収納されており、そのダクト本体は本体ケースに配置されており、本体ケースは上流側に筒状のパイプケースが連通されており、パイプケース及び本体ケースが内部に外気の流通するダクトケースとなっている。そして、パイプケースは上流側の端部（一端）が外装壁から屋外に開口しており、その開口から屋外の空気（外気）が給気ダクトに流入するものであり、上流側の端部（一端）を下流側の端部（他端）より低くした勾配を設けて、一端側から雨水等が浸入しても勾配により屋外に排出されるものとなっている。
【先行技術文献】
【特許文献】
【０００４】
【特許文献１】特開２００８−１９６７３８号公報
【発明の概要】
【発明が解決しようとする課題】
【０００５】
しかしながら、施工時にパイプケースの勾配（傾き）にばらつきを生じると、雨水等の排出効率が低下しダクト本体や屋内に雨水等が流れ込んだり、パイプケースと本体ケースの間に隙間を生じて外気が漏れたり等の不具合を生じるという問題がある。
【０００６】
そこで、この問題に鑑みて、施工時のパイプケースの勾配のばらつきを抑制することができるダクトケース及びそれを有する給気ダクトを提供することを課題とした。
【課題を解決するための手段】
【０００７】
上記課題を解決するために、第１の発明は、建造物の外装壁と前記建造物の換気対象空間を形成する内装壁の間に配置されて外気を前記換気対象空間に供給する給気ダクトのダクトケースであって、一端が前記外装壁から外部に開口し一端から他端に向けて内周の空間を外気が流通する筒形状のパイプケースと、前記パイプケースに勾配を与える勾配部材と、を有し、前記勾配部材は前記外装壁と内装壁の間に配置され水平な載置面を上端に備える支持台の前記載置面に載置されると共に、載置時に前記載置面に対して傾斜し前記パイプケースが配置される上面を備えるものであることを特徴とするダクトケースである。
【０００８】
また、第２の発明は、給気温度調節用の熱交換ユニットを収納する収納部を備えるダクト本体が内部に配置されると共に前記パイプケースの他端側の開口が前記内部に連通する本体ケースを有し、前記パイプケースと前記本体ケースが一体で形成されたものであることを特徴とするダクトケースである。
【０００９】
また、第３の発明は、前記パイプケースは前記建造物配置時に前記外装壁の壁面に平行する切り取りマークを一端側の外周面に複数有するものであることを特徴とするダクトケースである。
【００１０】
また、第４の発明は、第１〜３の発明のいずれかに記載のダクトケースと、給気温度調節用の熱交換ユニットを収納する収納部を備え前記ダクトケースの本体ケースの内部に配置されるダクト本体と、を有し、前記ダクトケースに流通する外気を前記ダクト本体を介して換気対象空間に放出するものであることを特徴とする給気ダクトである。
【発明の効果】
【００１１】
このように、載置面に対する勾配部材の上面の傾斜がパイプケースの勾配となるため、パイプケースと支持台の間に勾配部材を配置することで容易に一定の勾配にでき、施工時のパイプケースの勾配のばらつきを抑制することができる。
【図面の簡単な説明】
【００１２】
【図１】本発明の実施形態の一例の一部を破断した側面図である。
【図２】同上の一部を省略した（ａ）正面図と（ｂ）背面図である。
【図３】勾配部材の斜視図である。
【図４】（ａ）（ｂ）パイプケースと本体ケースの取付構成の例である。
【図５】フィルターの（ａ）斜視図と（ｂ）側面図である。
【発明を実施するための形態】
【００１３】
以下、本発明の実施形態の一例を図面に基づいて説明する。
【００１４】
本例の給気ダクト１は、建造物の外装を形成する外装壁２０と居室や浴室等の内装空間（屋内）を形成する内装壁２１の間に配置されており、屋内を換気対象空間として常時換気する２４時間換気用の換気システムの建造物の外（屋外）を流れる空気（外気）を屋内に供給する外気供給部である。
【００１５】
この換気システムは、給気ダクト１の他に、例えば、屋内の空気を外部に排出する排気ダクト（特に図示しない）と、排気ダクトに配置されダクト内の空気を流動させる換気ファン（特に図示しない）と、を備えている。そして、換気ファンの駆動により屋内の空気が排気ダクトを介して屋外に排出されることで、外気が給気ダクト１を介して屋内に流れ込み、屋内の換気が行われるものである。
【００１６】
また、給気ダクト１は、図１及び図２に示すように、給気温度調整用の熱交換ユニット１５が収納される収納部３を備えるダクト本体２と、外気が流通する流路を形成するダクトケース５と、外気から塵埃等を除去するフィルター１７と、給気ダクト１の内装壁２１側を覆うカバー部１０と、を有している。なお、以下の説明において、給気ダクト１の外気が流通する流路の下流側である内装壁２１側を前方とし、上流側である外装壁２０側を後方とする。
【００１７】
ダクトケース５は、一端６ａが外装壁２０を貫通して外部に開口した円筒形状のパイプケース６と、パイプケース６の他端６ｂ側の開口が内部に連通し前面を開口面とする箱形状の本体ケース８と、パイプケース６に勾配を与える楔形の勾配部材９と、からなる。
【００１８】
パイプケース６は一端６ａが外装壁２０に設けられた円形状の開口部に挿入されており、一端６ａは外装壁２０に面一あるいは少し屋外に突出させて配置されており、その外周面と外装壁２０の開口部の間に封止部材等（特に図示しない）を介在させて封止されている。そして、パイプケース６は一端６ａ側より他端６ｂ側が高くなるよう勾配部材９により勾配が設けられており、パイプケース６内に雨水等が浸入しても一端６ａ側に向かって流れて外部に排出されるものとなっている。
【００１９】
更に、パイプケース６の一端６ａ側の外周面には互いに平行する複数の点線が描かれており、その線に沿ってパイプケース６を切断することで一端６ａを外装壁２０に平行な開口面にすることができる切り取りマーク７となっている。そして、各点線は勾配部材９により勾配を与えられた状態で外装壁２０に平行するよう描かれており、パイプケース６の軸芯に直交する仮想平面より勾配部材９により生じる勾配の分だけ傾けられている。
【００２０】
そのため、外装壁２０と内装壁２１の間にダクトケース５を配置した状態で切り取りマーク７に沿ってパイプケース６を切断することで、容易に、ダクトケース５の外装壁２０からの突出量を調整できると共に、パイプケース６の一端６ａ側の開口を外壁面に沿った平行なものにすることができる。
【００２１】
また、勾配部材９は、外装壁２０と内装壁２１の間に予め配置された横壁部材や施工時に配置した桟木等の上端に水平な載置面に備えた支持台２２と、パイプケース６と、の間に配置されるものであり、パイプケース６を支持台２２に支持するものである。
【００２２】
この勾配部材９は、例えば、図３に示すように、載置面に当接される矩形状で平らな下面と、下面の端辺の一つを一辺とする矩形状で下面に対して傾斜した上面９ａと、を有した側面視略三角形状の楔形のものがある。そして、勾配部材９は傾斜した上面９ａの低い側を外装壁２０に向けて支持台２２に載置されるものであり、上面９ａの傾斜に沿って軸芯を配置してパイプケース６が取り付けられるものである。そのため、パイプケース６は外装壁２０に向かって下り傾斜して配置されると共に、勾配部材９の上面９ａと下面のなす角（載置面に対する上面９ａの傾斜）により勾配（傾斜角）が決まるものとなっている。
【００２３】
このように、パイプケース６に与えられる勾配は勾配部材９の上面９ａの傾斜で決まるため、勾配部材９によりパイプケース６の勾配を容易に一定の角度にでき、施工時の勾配のばらつきを防止することができる。そして、パイプケース６の勾配が一定であるため、パイプケース６を本体ケース８に取り付ける角度も一定となり、パイプケース６の他端６ｂ側の開口と本体ケース８の内部を容易に連通させることができる。
【００２４】
そのため、パイプケース６と本体ケース８の間から外気が漏れたり、両ケースを接続する部位に応力集中が生じたりする等の不具合の発生を抑制すると共に、熱交換ユニット１５の収納されるダクト本体２等の給気ダクト１の荷重をパイプケース６及び勾配部材９で受けることができる。そして、給気ダクト１の荷重をパイプケース６で受けることで、荷重が支持台２２にかかるため、給気ダクト１の荷重により石膏ボード等で形成された内装壁２１がひび割れたり、破損したりすることを防止することができる。
【００２５】
なお、勾配部材９は楔形に限らず、支持台２２の載置面に載置できると共に載置時に上面９ａが水平より傾いた傾斜面を形成して給気ダクト１の荷重をパイプケース６を介して支持台２２に支持できるものであれば、側面視台形状のもの等であってもよい。ましてや、勾配部材９は、上面９ａをパイプケース６の外周面に沿って円弧形状に凹ませたもの等であってもよく、このようなものではパイプケース６との接触面積を増えるため、パイプケース６の保持をより安定して行えて好ましい。
【００２６】
また、本体ケース８は、略正方形状の後面８ａを有し前面が開口した矩形状の箱であり、内装壁２１に設けられた矩形状の開口部に上下面及び側面を当接して仮位置決めされると共に、パイプケース６の他端６ｂに後面８ａが取り付けられるものである。そして、この後面８ａにはパイプケース６と略同径で開口した略円形状の連通口８ｂを略中央に有しており、本体ケース８をパイプケース６の他端６ｂに取り付けると、パイプケース６の内周の空間と連通口８ｂが連通するものである。
【００２７】
更に、本体ケース８とパイプケース６の取付構成は、例えば、図４（ａ）に示すような一方に雄ねじを設け他方に雌ねじを設けて螺合させるものや、図４（ｂ）に示すような一方に溝等の凹所を設け他方に係止爪等の凸部を設けて嵌合させるものがある。そして、図４（ｂ）中の符号６ｅはダクト内に流通する外気が嵌合部位の隙間から漏れることを防止するＯリングである。
【００２８】
なお、取付構成は例示したものに限らず、一方を他方に捻じ込み圧入するものや、接着や溶着等で固着するもの等であってもよく、ましてや成形時にパイプケース６と本体ケース８を一体で形成したものであってもよい。
【００２９】
また、本体ケース８の内部には前面及び後面の略中央に夫々開口を有する正面視ロの字形状で中空のダクト本体２が配置されており、ダクト本体２は上下面及び両側面で本体ケース８に保持されている。
【００３０】
このダクト本体２は連通口８ｂに連通する上流側開口２ａを後面に有すると共に、内部に流通する外気をダクト本体２の外に放出する下流側開口２ｂを前面に有するものである。そのため、パイプケース６から連通口８ｂに流入された外気は上流側開口２ａからダクト本体２内部である収納部３に流入された後、下流側開口２ｂを介してダクト本体２から放出されるものである。
【００３１】
そして、ダクト本体２は外気から塵埃等を除去するフィルター１７を内部に差し込む差込口２ｃを上面に有すると共に、側面の内側に上面から内部に差し込まれたフィルター１７を熱交換ユニット１５より後方側に位置させるガイド４を有しており、フィルター１７が着脱自在で収納されている。
【００３２】
更に、ダクト本体２の内部には給気ダクト１内に流通する外気を予熱あるいは吸熱する熱交換ユニット１５が配置されており、ダクト本体２の内部は熱交換ユニット１５及びフィルター１７を収納する収納部３となっている。
【００３３】
また、フィルター１７を差し込む差込口２ｃは、熱交換ユニット１５の前端より前方側（下流側）で、且つ給気ダクト１を建造物に取り付けた際に内装壁２１の表面（前面）より前方側（屋内側）に位置してダクト本体２の上面に設けられている。そのため、フィルター１７を屋内側から容易に差込口２ｃに差し入れて収納部３に取り付けることができると共に、取り付けたフィルター１７を差込口２ｃを介して屋内側から容易に取り外すことができる。
【００３４】
なお、差込口２ｃは内装壁２１より前方側からフィルター１７を差込可能であれば、熱交換ユニット１５の前端と略同じ位置であってもよく、まして上面に限らず側面や下面や前面に設けてもよい。もちろん、差込口２ｃにパッキン等の弾性体からなる気密確保部材を設けることでダクト本体２内の外気が差込口２ｃを介して外に漏れることを防止できて好ましい。
【００３５】
また、ガイド４は差込口２ｃからダクト本体２内に差し入れたフィルター１７をダクト本体２内部の熱交換ユニット１５より上流側で且つ連通口８ｂと熱交換ユニット１５の間に配置するものである。そして、このガイド４によりフィルター１７が熱交換ユニット１５より上流側に配置されるため、塵埃等を除去した外気を熱交換ユニット１５に流入できると共に、熱交換ユニット１５に塵埃等が付着することを抑制できて、外気の熱交換効率の低下を抑制することができる。
【００３６】
更に、屋内側（換気対象空間側）からフィルター１７の取付及び取外（着脱）を行えるため、塵埃等の付着したフィルター１７を給気ダクト１から取り出して、付着した塵埃等を容易に清掃除去することができる。なお、ガイド４はレールに限らず溝や間隔を空けて複数配置したリブ等であってもよい。
【００３７】
また、収納部３に取り付けられるフィルター１７は、図５に示すように、略長方形状で且つ差込方向に沿った辺の途中が彎曲した側面視くの字形状のものとなっている。
【００３８】
詳しくは、外気から塵埃等を除去する目の細かい網状の略長方形状のメッシュ部１８と、メッシュ部１８の四辺を囲みメッシュ部１８を保持する枠体１９と、からなるものである。そして、枠体１９は差込方向に沿った辺の途中に彎曲部１９ａを有し、該辺がくの字に曲がっている。更に、枠体１９は樹脂等の柔軟性（弾性）を有する部材で形成されており、枠体１９は収納部３に取り付ける際にメッシュ部１８を保持したままガイド４に沿って変形可能なものとなっている。この枠体１９の長辺の一端の符号１９ｂは着脱時に把持する把持部である。なお、メッシュ部１８と枠体１９は一体で形成されたものであってもよい。
【００３９】
また、熱交換ユニット１５は配管１６を介して外部の熱源（特に図示しない）等からの温水あるいは冷水等の熱交換用の流体が供給されており、この流体を利用して収納部３内の外気に熱を与えるあるいは熱を除くものである。つまり、給気ダクト１内を流通する外気は熱交換ユニット１５により屋内の空気の温度に近づけてから屋内へ供給されており、供給する外気と屋内の空気との温度差を低減している。
【００４０】
そして、外部の熱源等から熱交換ユニット１５に流体を供給する配管１６はダクト本体２の下面より上方で且つ本体ケース８の後面８ａ及びダクト本体２の後面から収納部３に臨んでおり、配管１６とダクト本体２の下面の間に隙間を有している。そのため、暴風雨や結露等でダクト本体２内に水が浸入しても、その水が配管１６を伝って本体ケース８の外側（内装壁２１と外装壁２０の間）等に流出することがなく、壁を構成する部材や熱交換ユニット１５の熱源等を水から保護している。
【００４１】
なお、ダクト本体２は本体ケース８と一体で形成されたものであってもよく、熱交換ユニット１５はダクト本体２内でガイド４より下流側に配置されていれば、ダクト本体２と一体で形成されたものであってもよい。
【００４２】
また、カバー部１０は、図１及び図２に示すように、内装壁２１の開口部を屋内側から覆い隠す内カバー１１と、内カバー１１の前方に位置しダクト本体２の前面を覆い隠す全面カバー１２と、からなっている。
【００４３】
内カバー１１は内装壁２１の開口部を屋内側から隠蔽するものであり、ダクト本体２の下流側開口２ｂに連通する矩形状の通気口を前面に有しており、符号１１ａはダクト本体２の差込口２ｃに連通する内カバー１１側のフィルター差込口である。
【００４４】
そして、全面カバー１２は内カバー１１の前方に配置され内カバー１１の通気口から流出する外気の向きを変えて屋内に放出させるものであり、外気の供給により屋内に生じる風を緩和するものである。なお、符号１３は内カバー１１の通気口を開閉するシャッターであり、強風時や暴風雨時等に通気口に当接して封止することで、風や雨水等の屋内への流入を抑制するものである。そして、符号１４は全面カバー１２に結露等を生じることを防止するスポンジ等の断熱吸湿部材である。
【００４５】
なお、パイプケース６は円筒形状に限らず矩形状の筒であってもよく、本体ケース８やダクト本体２も矩形状の箱に限らず後面を底部とした有底の円筒形状のものであってもよく、ましてや連通口８ｂが矩形状のものであってもよい。
【符号の説明】
【００４６】
１  給気ダクト
２  ダクト本体
３  収納部
５  ダクトケース
６  パイプケース
６ａ  一端
６ｂ  他端
７  切り取りマーク
８  本体ケース
９  勾配部材
９ａ  上面
１５  熱交換ユニット
２０  外装壁
２１  内装壁
２２  支持台
【図１】
2011179759.tif 000003
【図２】
2011179759.tif 000004
【図３】
2011179759.tif 000005
【図４】
2011179759.tif 000006
【図５】
2011179759.tif 000007